(57)【特許請求の範囲】
【請求項１】
原稿画像をカラー読取モードとモノクロ読取モードで読取ることが可能なラインセンサと、
アナログ画像信号を増幅する可変ゲインアンプと、
該可変ゲインアンプのゲインを定めるゲイン設定手段と、
該可変ゲインアンプの出力信号を画像データにデジタル変換するＡ／Ｄ変換回路と、
前記ラインセンサからのアナログ画像信号を抵抗分圧する分圧回路と、
前記カラー読取モードのときは前記分圧回路で分圧されたアナログ画像信号を前記可変ゲインアンプに入力し、前記モノクロ読取モードの時は前記分圧回路による分圧をしないアナログ画像信号を前記可変ゲインアンプに入力する切換手段と、
を有する画像読取装置。
【請求項２】
前記分圧回路の分圧比は、「モノクロ読取モードの露光時間／カラー読取モードの露光時間」である、請求項１に記載の画像読取装置。
【請求項３】
前記ゲイン設定手段は、可変ゲインアンプのゲインをその可変範囲の下限値に定めかつラインセンサからのアナログ画像信号を前記分圧回路による分圧をしないでＡ／Ｄ変換回路に与えて前記カラー読取モードで基準白の読取ピーク値を検出し、このピーク値が目標値を超えると該カラー読取モードでは、前記分圧回路で分圧されたアナログ画像信号を前記可変ゲインアンプに入力し、ピーク値が目標値以下であると該カラー読取モードでも前記分圧回路による分圧をしないアナログ画像信号を前記可変ゲインアンプに入力する、請求項１又は２に記載の画像読取装置。
【請求項４】
前記分圧回路で分圧されたアナログ画像信号と分圧されないアナログ画像信号のいずれを前記可変ゲインアンプに入力するか前記切換手段に設定した後、前記ゲイン設定手段は、基準白の読取ピーク値を検出し、検出したピーク値が目標値となるゲインを前記可変ゲインアンプに設定する、請求項１乃至３のいずれか１つに記載の画像読取装置。
【請求項５】
請求項１乃至４のいずれか１つに記載の画像読取装置，該画像読取装置が出力する画像データを補正し画像形成用のデータに処理する情報処理装置、および、該情報処理装置が処理したデータに基づいて像媒体上に作像するプリンタ；を備える画像形成装置。
【発明の詳細な説明】
【０００１】
【発明の属する技術分野】
本発明は、画像を読取ってアナログビデオ信号即ち画像を表すアナログ信号を発生しそれをデジタルデータである画像データにＡ／Ｄ変換する画像読取装置およびそれを用いる画像形成装置に関し、例えば、スキャナー，デジタル複写機，デジタルＦＡＸ等に適用できる。
【０００２】
【従来技術】
画像読取装置では、画像を読み取ったラインセンサからのアナログ画像信号をＡ／Ｄ変換回路に入力してデジタル信号を得ている。この際、Ａ／Ｄ変換回路の精度を十分に発揮させる為にはアナログ画像信号がＡ／Ｄ変換回路の上限基準値と下限基準値の間を広く使って変化する様に可変ゲインアンプのゲインとオフセット設定部でのオフセット量を調整する必要がある。一般的に、画像読取装置では、特開平６−１０５１３５号公報に見られるように、ピーク検出されたＡ／Ｄ変換回路の出力をＣＰＵに取りこんで、目標値と比較して最適なゲイン設定値を算出し、このゲイン設定値により可変ゲインアンプのゲイン設定を変更する構成となっている。
【０００３】
一方、Ａ／Ｄ変換回路に入力されるアナログ画像信号の範囲を、Ａ／Ｄ変換回路の変換対象電圧範囲（例えば８ビットでは０〜２５５に宛てられた電圧範囲）にするようにゲインを決定するが、アナログ画像信号の大きさは様々な要因により機械毎にばらつく。要因として、光源光量，ラインセンサ感度，基準白板濃度，メカ寸法等のばらつきが挙げられる。従来は、これらのばらつきに対して、可変ゲインアンプの増幅範囲でＡ／Ｄ変換した画像データを目標とする値に設定できるように、広い増幅範囲をもつ可変ゲインアンプを用いるなどして対応していた。
【０００４】
【発明が解決しようとする課題】
しかしながら、読取時間（１ライン蓄積時間，１ライン露光時間）を切換える読取系の場合、光電変換セルの光の蓄積時間の違いにより、さらにアナログ画像信号のばらつき、すなわち最大値と最小値の差、が大きくなるため、従来の方法では可変ゲインアンプの増幅範囲でデジタル信号を目標とする値に設定しきれなくなることが考えられる。
【０００５】
具体的に説明すると、例えば、アナログ画像信号の最大値と最小値の差が大きい読取系では、Ａ／Ｄ変換回路前段の可変ゲインアンプのゲインｇは、Ａ／Ｄ変換回路の出力をＸ（8bit）、リファレンス電圧のダイナミックレンジがＶref、Ａ／Ｄ変換回路の入力電圧をＶinとすると、ｇ＝（Ｘ／２５５）×Ｖref／Ｖinである。ここで、Ｖinは最大値と最小値の差が大きく、最大値のときに必要なゲインが小さくなりすぎて可変ゲインアンプのゲイン可変範囲に入らなくなる場合、アナログ画像信号を、仮に抵抗分圧回路を用いて小さくすることを考えると、Ｖinが最小値をとった場合には、その最小値が分圧されてさらに小さくなるため、必要なゲインが大きくなりすぎて、やはりアンプの可変ゲイン範囲に入らなくなる。
【０００６】
本発明は、アナログ画像信号の最大値と最小値の差が大きい、カラー画像とモノクロ画像を同じＣＣＤで読み取る読取系でも、可変ゲインアンプの入力範囲に最適なＣＣＤ出力を得ることができ、適正なＡ／Ｄ変換データすなわち画像データを得ることができる画像読み取り装置を提供することを目的とする。
【０００７】
【課題を解決するための手段】
（１）原稿画像をカラー読取モードとモノクロ読取モードで読取ることが可能なラインセンサ（11a）と、
アナログ画像信号を増幅する可変ゲインアンプ（11d）と、
該可変ゲインアンプのゲインを定めるゲイン設定手段（12e）と、
該可変ゲインアンプの出力信号を画像データにデジタル変換するＡ／Ｄ変換回路（11f）と、
前記ラインセンサからのアナログ画像信号を抵抗分圧する分圧回路（R1,R2）と、
前記カラー読取モードのときは前記分圧回路で分圧されたアナログ画像信号を前記可変ゲインアンプに入力し、前記モノクロ読取モードの時は前記分圧回路による分圧をしないアナログ画像信号を前記可変ゲインアンプに入力する切換手段（Ｃsw）と、
を有する画像読取装置。
【０００８】
なお、理解を容易にするためにカッコ内には、図面に示し後述する実施例の対応要素又は対応事項の記号を、例示として参考までに付記した。以下も同様である。
【０００９】
これによれば、露光時間が長いカラー読取モードでは、アナログ画像信号の最大値と最小値の差が大きくなるが、分圧することにより可変ゲインアンプ（11d）の増幅範囲で画像データを目標とする値に設定できるので、１つの画像読取装置内で、露光時間の異なるカラー読取モードとモノクロ読取モードのそれぞれで適正な画像データを得ることができる。カラー読取モードとモノクロ読取モードでの可変ゲインアンプ（11d）の必要可変範囲を揃えることができ、可変範囲の小さい低コストの可変ゲインアンプを用いることができる。
【００１０】
【発明の実施の形態】
（２）前記分圧回路の分圧比（Ｒ２／（Ｒ１＋Ｒ２））は、「モノクロ読取モードの露光時間／カラー読取モードの露光時間」である、上記（１）の画像読取装置。
【００１１】
露光時間にアナログ画像信号レベルが大略比例するので、分圧比（Ｒ２／（Ｒ１＋Ｒ２））を「モノクロ読取モードの露光時間／カラー読取モードの露光時間」とすることにより、露光時間が長いカラー読取モードのときでも分圧により露光時間が短いモノクロ読取モードのときと同等レベルのアナログ画像信号が可変ゲインアンプ（11d）に与えられ、露光時間が短いモノクロ読取モードのときと同等な画像データが得られる。露光時間が長，短のカラー／モノクロ読取モードの切換えのときに、ゲインの切換えが不要もしくはゲイン変更量が少なくなる。可変ゲインアンプ（11d）の必要可変範囲を揃えることができ、可変範囲の小さい低コストの可変ゲインアンプを用いることができる。
【００１２】
（２ａ）カラー読取モードでも、出力が小さい場合には分圧しないことを特徴とする上記（１）又は（２）の画像読取装置。
【００１３】
カラー読取モードでも、出力が小さい場合には分圧しないことで、アナログ画像信号を必要以上に小さくすることがないので、Ｓ／Ｎが高い画像データを得ることができる。
【００１４】
（３）前記ゲイン設定手段（12e）は、可変ゲインアンプ（11d）のゲインをその可変範囲の下限値に定めかつラインセンサ（11a）からのアナログ画像信号を前記分圧回路による分圧をしないでＡ／Ｄ変換回路（11f）に与えて前記カラー読取モードで基準白の読取ピーク値を検出し、このピーク値が目標値を超えると該カラー読取モードでは、前記分圧回路で分圧されたアナログ画像信号を前記可変ゲインアンプ（11d）に入力し、ピーク値が目標値以下であると該カラー読取モードでも前記分圧回路による分圧をしないアナログ画像信号を前記可変ゲインアンプ（11d）に入力する、上記（１）又は（２）の画像読取装置。
【００１５】
露光時間が長いカラー読取モードでもラインセンサからのアナログ画像信号のレベルが低い時には分圧しないでＡ／Ｄ変換するので、Ｓ／Ｎが高い画像データを得ることができる。ラインセンサからのアナログ画像信号のレベルが高い時にも、可変ゲインアンプ（11d）の増幅範囲で画像データを目標とする値に設定できる。この場合、ラインセンサからのアナログ画像信号自身のＳ／Ｎが高い。
【００１６】
（４）前記分圧回路で分圧されたアナログ画像信号と分圧されないアナログ画像信号のいずれを前記可変ゲインアンプ（11d）に入力するか前記切換手段（Ｃsw）に設定した後、前記ゲイン設定手段（12e）は、基準白の読取ピーク値を検出し、検出したピーク値が目標値となるゲインを前記可変ゲインアンプ（11d）に設定する、（図７の4,5／図８の18,19）、上記（１）乃至（３）のいずれか１つに記載の画像読取装置。
【００１７】
これによれば、可変ゲインアンプ（11d）の出力レベルの範囲を、Ａ／Ｄ変換回路（11f）の変換電圧範囲に最適に整合させることができ、何れの読取モードでも、分解能が高い画像データを得ることができる。
【００１８】
（４ａ）前記ゲイン設定手段（12e）は、前記設定した読取モード宛ての分圧有無およびゲインを不揮発メモリに保存し、それらを、原稿画像読取のＡ／Ｄ変換に用いる、上記（１）乃至（４）の何れかに記載の画像読取装置。
【００１９】
次回のゲイン設定まで、同一の、読取モード宛ての分圧有無およびゲインを用いるＡ／Ｄ変換が行われる。画像読取りの直前にいつもゲイン設定を行わなくても良いので、能率よく画像読取りをすることができる。
【００２０】
（４ｂ）抵抗分圧回路は、カラー読取モードでのラインセンサからのアナログ画像信号を、可変ゲインアンプ（11d）がそのゲイン可変範囲の下限値で適正なＡ／Ｄ変換範囲に増幅しうるレベルに分圧する分圧比である、上記（１）又は（３）の画像読取装置。これによれば、可変ゲインアンプ（11d）でアナログ画像信号レベルを最大限高くし得るので、Ｓ／Ｎが高い画像データを得ることができる。
【００２１】
（５）上記（１）〜（４ａ）のいずれか１つに記載の画像読取装置（10），該画像読取装置が出力する画像データを補正し画像形成用のデータに処理する情報処理装置（ACP）、および、該情報処理装置が処理したデータに基づいて像媒体上に作像するプリンタ（100）；を備える画像形成装置。
【００２２】
これによれば、画像読取装置（10）によるカラー／モノクロ画像読取りでばらつきの大きいアナログ画像信号が可変ゲインアンプに入力されることが考えられる場合でも、適正なレベルの画像データを得て、滑らかな階調表現のＳ／Ｎが高い画像をプリントアウトできる。
【００２３】
（６）前記情報処理装置（ACP）は、前記画像読取装置（10）が出力した画像データに対し補正および作像用画像データへの変換を行う画像処理手段（IPP）と、画像データとデータ転送バス（Ｐb）とのインターフェースを一括管理するバス管理手段（CDIC）と、画像データのメモリ（MEM）へのアクセスを一括管理するメモリ管理手段（IMAC）を含む、上記（６）の画像形成装置。
【００２４】
これによれば、画像読取装置（10）が読んだ画像データを外部に送出する画像読み取り機能，外部からの画像データをプリントアウトするプリンタ機能，画像読取装置（10）が読んだ画像データをプリントアウトする複写機能ならびにメモリを利用した画像編集機能など、メモリを複数の機能動作に有効に利用できる複合機能複写機を提供できる。これにおいて、画像読取装置（10）によるカラー／モノクロ画像読取りでばらつきの大きいアナログ画像信号が可変ゲインアンプに入力されることが考えられる場合でも、適正なレベルの画像データを得て、滑らかな階調表現のＳ／Ｎが高い画像をプリントアウトできる。
【００２５】
本発明の他の目的および特徴は、図面を参照した以下の実施例の説明より明らかになろう。
【００２６】
【実施例】
−第１実施例−
図１に、本発明の第１実施例の複合機能フルカラーデジタル複写機の外観を示す。このフルカラー複写機は、大略で、自動原稿送り装置（ＡＤＦ）３０と、操作ボード２０と、カラースキャナ１０と、カラープリンタ１００と、ステープラ及び作像された用紙を積載可能なトレイ付きのフィニッシャ３４と、両面ドライブユニット３３と、給紙バンク３５及び大容量給紙トレイ３６、の各ユニットで構成されている。機内の画像データ処理装置ＡＣＰ（図３）には、パソコンＰＣが接続したＬＡＮ（Local Area Network）が接続されており、ファクシミリコントロールユニットＦＣＵ（図３）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００２７】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００２８】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００２９】
また、レーザプリンタ１００は、上記トナ−像形成ユニットのほか、レーザ走査による光書込ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００３０】
光書込ユニット１０２は、光源、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。また図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００３１】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００３２】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００３３】
感光体ユニット１１０Ｙにおいて、交流電圧が印加された帯電ローラにより一様帯電された感光体ドラム１１１Ｙの表面に、光書込ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００３４】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００３５】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００３６】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００３７】
図３に、図１に示す複写機の画像処理系統のシステム構成を示す。このシステムでは、読取ユニット１１と画像データ出力Ｉ／Ｆ（Interface：インターフェイス）１２でなるカラー原稿スキャナ１２が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Image Processing Processor；以下では単にＩＰＰと記述）から、書込みＩ／Ｆ１３４に記録画像データを受けて、作像ユニット１３５でプリントアウトする。作像ユニット１３５は、図２に示すものである。
【００３８】
画像処理装置である画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュールＭＥＭ（以下では単にＭＥＭと記述），システムコントローラ１，ＲＡＭ４，不揮発メモリ５，操作ボード２０，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。
【００３９】
カラー原稿スキャナ１０の、原稿を光学的に読み取る読取ユニット１１は、原稿に対するランプ照射の反射光をＣＣＤで光電変換してＲ，Ｇ，Ｂ画像データを生成し、出力Ｉ／Ｆ１２でＲＧＢ画像データに変換しかつシェーディング補正してＣＤＩＣに送出する。このスキャナ１０は、図４以下を参照して後述する。
【００４０】
ＣＤＩＣは、画像データに関し、出力Ｉ／Ｆ１２，パラレルバスＰｂ，ＩＰＰ間のデータ転送，プロセスコントローラ１３１とＡＣＰの全体制御を司るシステムコントローラ１との間の通信をおこなう。また、ＲＡＭ１３２はプロセスコントローラ１３１のワークエリアとして使用され、不揮発メモリ１３３はプロセスコントローラ１３１の動作プログラム等を記憶している。
【００４１】
ＩＰＰは画像処理をおこなうプログラマブルな演算処理手段である。スキャナ１０の出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。
【００４２】
画像メモリアクセス制御ＩＭＡＣ（以下では単にＩＭＡＣと記述）は、ＭＥＭに対する画像データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００４３】
操作ボード２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００４４】
スキャナ１０の読取ユニット１１より読み取った画像データの処理には、読み取り画像データをＭＥＭに蓄積して再利用するジョブと、ＭＥＭに蓄積しないジョブとがあり、それぞれの場合について説明する。読み取り画像データをＭＥＭに蓄積する例としては、１枚の原稿について複数枚を複写する場合があり、この場合には、読取ユニット１１を１回だけ動作させ、読取ユニット１１により読み取った画像データをＭＥＭに蓄積し、ＭＥＭに蓄積された画像データを複数回読み出す。
【００４５】
ＭＥＭを使わない例としては、１枚の原稿を１枚だけ複写する場合があり、この場合には、読み取り画像データをそのまま再生すればよいので、ＩＭＡＣによるＭＥＭへのアクセスをおこなう必要はない。ＭＥＭを使わない場合には、ＩＰＰからＣＤＩＣへ転送されたデータは、再度、ＣＤＩＣからＩＰＰへ戻される。ＩＰＰにおいては、出力Ｉ／Ｆ１２におけるＣＣＤによるＲＧＢ信号をＹＭＣＫ信号に色変換し、プリンタγ変換，階調変換，および、ディザ処理もしくは誤差拡散処理などの階調処理などの画質処理をおこなう。
【００４６】
画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００４７】
つぎに、ＭＥＭに蓄積し、画像読み出し時に付加的な処理、たとえば画像方向の回転、画像の合成等をおこなう場合の画像データの流れについて説明する。ＩＰＰからＣＤＩＣへ転送された画像データは、ＣＤＩＣからパラレルバスＰｂを経由してＩＭＡＣに送られる。
【００４８】
ＩＭＡＣは、システムコントローラ１の制御に基づいて、画像データとＭＥＭのアクセス制御，ＬＡＮ上に接続した図示しないパソコンＰＣ（以下では単にＰＣと表記）のプリント用データの展開，ＭＥＭの有効活用のための画像データの圧縮／伸張をおこなう。
【００４９】
ＩＭＡＣへ送られた画像データは、データ圧縮後、ＭＥＭに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００５０】
画像データの流れにおいて、パラレルバスＰｂおよびＣＤＩＣでのバス制御により、デジタル複合機の機能を実現する。
【００５１】
ファクシミリ送信は、読み取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００５２】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００５３】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００５４】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００５５】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ  ７、パラレルバスＰｂを経由して送られる。
【００５６】
この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭに格納されることになる。
【００５７】
一方、ＡＣＰのシステムコントローラ１は、ＰＣからのプリンタ機能としての呼び出しの場合、プリンタ，コントローラとネットワーク制御およびシリアルバス制御として機能する。ネットワーク経由の場合、ＩＭＡＣはネットワークＩ／Ｆ  ８を介してプリント出力要求データを受け取る。
【００５８】
汎用的なシリアルバス接続の場合、ＩＭＡＣはシリアルバスＩ／Ｆ  ９経由でプリント出力要求データを受け取る。汎用のシリアルバスＩ／Ｆ  ９は複数種類の規格に対応しており、たとえばＵＳＢ（Ｕｎｉｖｅｒｓａｌ  Ｓｅｒｉａｌ  Ｂｕｓ）、１２８４または１３９４等の規格のインターフェースに対応する。
【００５９】
プリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００６０】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００６１】
システムコントローラ１とＭＥＭおよび各種バスとのデータ送受信は、ＩＭＡＣを経由しておこなわれる。ＭＥＭを使用するジョブはＡＣＰ全体の中で一元管理される。
【００６２】
図４に、カラー原稿スキャナ１０の概略構成を示す。スキャナ１０の上部にはコンタクトガラス１３と、濃度基準部材である基準白板１５がある。コンタクトガラス１３には原稿がセットされる。基準白板１５はシェーディング補正時の補正データを得るための、主走査方向延びた均一濃度のほぼ白色の部材である。
【００６３】
光源１４は、基準白板１５あるいはコンタクトガラス１３にある角度で光を照射し、基準白板１５あるいは原稿で反射した光は、３枚のミラーおよびレンズを経由して、読み取りユニット１１のラインセンサ（実施例ではラインセンサとしてＣＣＤを使用）に入射する。
【００６４】
光源１４と第１ミラーは、図示しない第１キャリッジに搭載され、第２および第３ミラーは図示しない第２キャリッジに搭載されている。第１キャリッジが原稿読み取りのために左から右に往走査駆動されるとき、第１ミラーからＣＣＤ間の距離を一定に保つように第２キャリッジも同方向に１／２の速度で駆動される。ＣＣＤ１１ａは入射光量に対応したアナログ画像信号を出力する。ＣＣＤ１１ａの出力は、読取時間（１ライン露光時間，１ライン蓄積時間）に比例する（図９）。ＣＣＤ１１ａが発生するアナログ画像信号は画像出力Ｉ／Ｆ（インターフェース）１２でデジタル信号すなわち画像データに変換される。画像データは、シェーディング補正した後、画像出力Ｉ／Ｆ１２から、ＣＤＩＣを経由してＩＰＰに与えられる。
【００６５】
図５に、カラー原稿スキャナ１０の読取ユニット１１および画像出力Ｉ／Ｆ１２の中の、３系統Ｒ，Ｇ，Ｂの画像データ、の一色の系統のみの構成の概要を示す。なお、実際には、Ｒ用，Ｇ用およびＢ用のそれぞれに図５に示す読取ユニット１１＋画像出力Ｉ／Ｆ１２が１組あり、合計３組がある。しかし処理機能は同様であるので、以下では、図５に示す１組のみを説明する。
【００６６】
また、１組に関しても、高速タイプのＣＣＤでは２系統あるいは４系統の出力タイプも存在する。本発明に於いてはＣＣＤが何系統の出力であっても問題無い。
【００６７】
ＣＣＤ１１ａが出力するアナログ画像信号は、バッファアンプ１１ｂでドライブされてサンプリング回路１１ｃにてサンプルホールドされ、リセットノイズ等の高周波成分が除去される。
【００６８】
ゲインアンプ１１ｄは、そのコントロール端子に印加される制御電圧Ｖｇにてゲインを制御出来るアンプであり、オフセット設定部１１ｅはそのコントロール端子に印加される制御電圧Ｖｏｆにてオフセットを設ける機能を有する。Ｖｇ，Ｖｏｆは、ＣＰＵ１２ｅがＤ／Ａ変換回路１１ｇを操作して決定する電圧である。例えばＤ／Ａ変換回路１１ｇが８ビットであればＣＰＵ１２ｅは０〜２５５のいずれかの値をＤ／Ａ変換回路１１ｇに対して設定し、Ｄ／Ａ変換回路１１ｇは対応した電圧を出力する。
【００６９】
Ａ／Ｄ変換回路１１ｆは、アナログ画像信号を基準電圧Ｖｒｅｆに基づいて所定の分解能（例えば８ｂｉｔ）でデジタル画像信号すなわち画像データに変換する。この画像データは、オフセットレベル検出回路１２ａ，オフセットレベル減算回路１２ｂに入力される。ここで基準電圧Ｖｒｅｆは、ＣＰＵ１２ｅがＤ／Ａ変換回路１１ｇを操作して決定する。
【００７０】
ＣＣＤ１１ａには、オプティカルブラック（ＯＰＢ）画素といわれる物理的に遮光したセンサ部があり、続いて有効画素といわれる入射光量に比例した電圧を出力するセンサ部がある。このＯＰＢ画素と有効画素のデータは１主走査期間毎に繰り返して出力される。
【００７１】
オフセットレベル検出回路１２ａは、ｘopb信号の読み取り期間に、ＣＣＤ１１ａのＯＰＢ画素に対応したＡ／Ｄ変換回路１１ｆの出力を取り込んで保存する機能を有する。オフセットレベルは複数のＯＰＢ画素を取り込んだ平均値であり、ＣＣＤ１１ａの出力系統毎に保存される。オフセットレベル減算回路１２ｂは、入力されたＡ／Ｄ変換回路１１ｆの出力値からオフセットレベル検出回路１２ａに保存されたオフセットレベルを減算する回路である。白ピーク検出回路１２ｄは、原稿読取り時の有効画素区間を表すｘｌgate信号および基準白板読取り時の読込期間を表わす図１０に示すＳＭＰＬ信号がアサートされている期間内で入力された画像データ（基準白の読取データ）のピーク値を保存する回路である。図１０に示すｘｌgateは、有効画素部の原稿を読取る領域でアサートされる信号であり、白ピーク検出時の読込範囲指定に使用する。
【００７２】
ＣＰＵ１２ｅは、オフセットレベル検出回路１２ａ，白ピーク検出回路１２ｄにアクセスすることにより、最新のオフセットレベル値，ピーク値を得ることが出来る。
【００７３】
シェーディングデータ保存回路１２ｃは、基準白板１５を読み取った値を各画素毎に平均化等の処理を行いながら順次保存する回路であり、シェーディング補正回路１２ｆは画像を読み取った画像データと、シェーディングデータ保存回路１２ｃに保存されている基準白板の画像データとで補正演算を行う回路である。ＣＰＵ１２ｅは、このシェーディングデータ保存回路１２ｃから、特定画素（基準白板１５の主走査方向ｘのある位置）の画像データを読み取ることが出来る。
【００７４】
カラー原稿スキャナ１０で光電変換を行うＣＣＤは、３ラインセンサである。１つのラインセンサ毎にＲ，Ｇ，Ｂそれぞれのチャンネルに対応していて、フルカラー読取モードでは３つのラインセンサ出力から、モノクロ読取モードでは１つのラインセンサ出力から画像を取得する。また、このカラー原稿スキャナ１０では、フルカラー読取モード時は、読取時間（ＣＣＤの１ライン蓄積時間すなわち１ライン露光時間）をモノクロ読取モード時よりも長くすることで、Ｓ／Ｎの向上をねらっている。カラーの読取時間＞モノクロの読取時間である。図５に示すＣＣＤ１１ａは、Ｒ，Ｇ，Ｂ３チャンネル、すなわち３つのラインセンサ、の１つである。
【００７５】
図６に示すように、バッファアンプ１１ｂには、可変ゲインアンプ１１ｄに入力するアナログ画像信号の大きさを切換えるスイッチＣswがある。バッファアンプの増幅トランジスタの出力に抵抗Ｒ１とＲ２でなる抵抗分圧回路が接続されており、分圧用抵抗Ｒ１に並列に、バイパススイッチＣswが接続されている。このバッファアンプ１１ｂは、可変ゲインアンプ１１ｄに入力するアナログ画像信号Ｖccd’の大きさを、スイッチ切換え信号Ｓcbで動作するスイッチＣswで切換える回路の構成例である。
【００７６】
操作ボード２０で、カラー読取モードとモノクロ読取モード（単色読取モード）のどちらが選択されたかを、システムコントローラ１が、プロセスコントローラ１３１を介してＣＰＵ１２ｅに報知する。すなわち、Ｃolor／ＢＷ信号を送る。Ｃolor／ＢＷ信号は、例えばカラー読取モードが選択された時にはｈigh、モノクロ読取モードが選択された時にはＬowになるような信号である。ＣＰＵ１２ｅは、この信号の反転信号をスイッチ切換信号Ｓcbとしてバッファアンプ１１ｂのスイッチＣswに与える。
【００７７】
ＣＰＵ１２ｅは、スイッチＣswをスイッチ切換え信号Ｓcb：Ｌowでオフ（ＯＦＦ：断）にして抵抗分圧回路による分圧を選択、モノクロ読取モードならスイッチＣswをスイッチ切換え信号Ｓcb：ｈighでオン（ＯＮ：接）にして抵抗分圧回路による分圧は非選択にする。スイッチ切換え信号Ｓcbは、Ｃolor／ＢＷ信号がｈigh（カラー）の時はＬowになり、入力されるＣolor／ＢＷ信号がＬow（モノクロ）の時はｈighになる信号である。
【００７８】
カラー読取モードの場合、スイッチＣswをＯＦＦにするスイッチ切換え信号Ｓcb（Ｌow）がＣＰＵ１２ｅから入力され、可変ゲインアンプ１１ｄには、ＣＣＤ出力Ｖccdを抵抗Ｒ１とＲ２で分圧した値Ｖccd・Ｒ２／（Ｒ１＋Ｒ２）が入力される。モノクロ読取モードの場合は、スイッチＣswをＯＮにするスイッチ切換え信号Ｓcb（ｈigh）がＣＰＵ１２ｅから入力され、可変ゲインアンプ１１ｄにはＣＣＤ出力Ｖccdが抵抗分圧されることなく入力される。
【００７９】
図７に、システムコントローラ１からプロセスコントローラ１３１を介してＣＰＵ１２ｅにＡ／Ｄ変換特性の調整が指示された時の、ＣＰＵ１２ｅが行うＡ／Ｄ変換特性の調整の概要を示す。このとき照明光源１４および第１ミラーを搭載した第１キャリッジは基準白板１５の基準白面を照明し読取ることができるホームポジションにある。Ａ／Ｄ変換特性の調整においてＣＰＵ１２ｅは、操作ボード２０で指定されたモードを表わすＣolor／ＢＷ信号に対応してバッファアンプ１１ｂのスイッチＣswにスイッチ切換え信号Ｓcbを送り、Ｃolor／ＢＷ信号がカラー読取モードを示す場合には、スイッチ切換え信号ＳcbをＬowにしてスイッチＣswをＯＦＦにする。Ｃolor／ＢＷ信号がモノクロ読取モードを示す場合には、スイッチ切換え信号ＳcbをｈighにしてスイッチＣswをＯＮにする（ステップ１〜３）。なお、以下においては、カッコ内にはステップという語を省略してステップＮｏ．数字のみを記す。
【００８０】
そしてＣＰＵ１２ｅは、操作ボード２０で指定されたモードを表わすＣolor／ＢＷ信号に対応して、それがカラー読取モードを示す場合には、不揮発メモリ１２ｇにあるカラー読取モード宛てのデータ（Ｖg，Ｖof，Ｖref）をＤ／Ａ変換回路１１ｇに与え、モノクロ読取モードを示す場合には、不揮発メモリ１２ｇにあるモノクロ読取モード宛てのデータをＤ／Ａ変換回路１１ｇに与えて、基準白板１５を読取り、このとき白ピーク検出回路１２ｄが白ピークデータを検出する（４）。
【００８１】
カラー読取モードの場合は、スイッチＣswがＯＦＦであるので、抵抗分圧回路（Ｒ１，Ｒ２）が分圧したアナログ画像信号が可変ゲインアンプ１１ｄに印加される。このとき、ＣＣＤ出力であるアナログ画像信号Ｖccdは、つぎのＶccd’に抵抗分圧されて、可変ゲインアンプ１１ｄに入力される：
Ｖccd’＝Ｖccd×Ｒ２／（Ｒ１＋Ｒ２）  。
【００８２】
モノクロ読取モードの場合は、スイッチＣswがＯＮであるので、ＣＣＤ出力出力であるアナログ画像信号Ｖccdは、そのまま可変ゲインアンプ１１ｄに入力される：
Ｖccd’＝Ｖccd  。
【００８３】
バッファアンプ１１ｂの出力Ｖccd’は可変ゲインアンプ１１ｄで、ゲイン制御電圧Ｖgに比例するゲインで増幅された後、オフセット指示電圧Ｖofに比例するオフセット電圧のレベルシフトを受けてからＡ／Ｄコンバータ１１ｆに入力されて、入力電圧（アナログ画像信号）Ｖinと基準電圧Ｖrefに応じた、次のデジタル値Ｄを表す画像データにＡ／Ｄ変換される：
Ｄ＝２５５×Ｖin／Ｖref  。
【００８４】
白ピーク検出回路１２ｄが、Ａ／Ｄコンバータ１１ｆが出力する画像データの中の、主走査範囲指定信号ｘｌgateと副走査範囲指定信号ＳＭＰＬにて指定された範囲内でのピーク値を表わす画像データを検出し、それがＣＰＵ１２ｅに与えられる。ＣＰＵ１２ｅは、ピーク値（白ピーク値）をＮ、目標値（白ピーク目標値）をＭ、現在のゲインをｇとすると、現在のピーク値Ｎを目標値ＭにするためのゲインＧaを次のように算出して、
Ｇa＝ｇ×Ｍ／Ｎ
このゲインＧaを表わすゲイン制御データ（Ｖg）をＤ／Ａ変換回路１１ｇに切換え出力する（５）。そしてＣＰＵ１２ｅは、該ゲイン制御データを、現在のスイッチ切換信号とともに、現在指定中のモード（カラー読取モード／モノクロ読取モード）宛てに、不揮発メモリ１２ｇに書込む（６）。
【００８５】
その後、シェーディングデータ保存回路１２ｃへのシェーディング補正用データの設定の時には、ＣＰＵ１２ｅは、指定モード（カラー読取モード／モノクロ読取モード）宛ての記憶データ（スイッチ切換信号Ｓcb，ゲイン制御データ（Ｖg），オフセット指定データ（Ｖof）および基準電圧データ（Ｖref））を不揮発性メモリ１２ｇから読出してバッファアンプ１１ｂおよびＤ／Ａ変換回路１１ｇに与える。Ａ／Ｄ変換回路１１ｆは、基準白板読取りのアナログ画像信号を、Ａ／Ｄ変換し、この画像データがシェーディングデータ保存回路１２ｃに、指定モード宛てに格納される。
【００８６】
原稿画像読取りのときには、ＣＰＵ１２ｅは、指定モード（カラー読取モード／モノクロ読取モード）宛ての記憶データ（スイッチ切換信号Ｓcb，ゲイン制御データ（Ｖg），オフセット指定データ（Ｖof）および基準電圧データ（Ｖref））を不揮発性メモリ１２ｇから読出してバッファアンプ１１ｂおよびＤ／Ａ変換回路１１ｇに与える。Ａ／Ｄ変換回路１１ｆが、原稿読取りのアナログ画像信号を、画像データにＡ／Ｄ変換する。シェーディング補正回路１２ｆが、画像データに、シェーディングデータ保存回路１２ｃのデータに基づいてシェーディング補正を加える。上述のＡ／Ｄ変換特性の調整で設定し不揮発メモリ１２ｇに書込んだデータを用いてアナログ画像信号を画像データにＡ／Ｄ変換するので、仮に光量が経時で変動しても、Ａ／Ｄ変換特性の調整後にＡ／Ｄ変換回路１１ｆが出力する画像データの精度は高く、安定する。
【００８７】
−抵抗分圧回路（Ｒ１，Ｒ２）の分圧比（第１例）−
Ｒ１とＲ２は、分圧比Ｒ２／（Ｒ１＋Ｒ２）が、モノクロの露光時間／カラーの露光時間となる値にしている。ここで露光時間とは、１ラインの画像光をＣＣＤ１１ａで光電変換して電荷を蓄積する１ライン蓄積時間である。モノクロ読取モードの場合、スイッチＣswがＯＮで抵抗分圧回路による分圧が選択されないので、ＣＣＤ１１ａのアナログ画像信号（電圧）は、そのまま可変ゲインアンプ１１ｄに入力される。モノクロ読取モードのＣＣＤ１１ａのアナログ画像信号Ｖccdbwは、前記のような読取時間（露光時間）の比であって、しかも図９に示すように、読取時間に比例するので、
Ｖccdbw＝Ｖccd×Ｒ２／（Ｒ１＋Ｒ２）
となるので、可変ゲインアンプ１１ｄの入力電圧は、
Ｖccd’＝Ｖccdbw
であり、カラー読取モードの可変ゲインアンプ１１ｄの入力電圧
Ｖccd’＝Ｖccd×Ｒ２／（Ｒ１＋Ｒ２）
と等しい。したがって、露光時間が長いカラー読取モードと短いモノクロ読取モードの間の切換えのときに、ゲインの切換えが不要もしくはゲイン変更量が少なくなる。可変ゲインアンプ１１ｄのゲインの必要可変範囲をカラー読取モードとモノクロ読取モードで揃えることができ、可変範囲の小さい低コストの可変ゲインアンプを用いることができる。
【００８８】
−抵抗分圧回路（Ｒ１，Ｒ２）の分圧比（第２例）−
もう１つの例では、抵抗分圧回路（Ｒ１，Ｒ２）の抵抗分圧比Ｒ２／（Ｒ１＋Ｒ２）は、前記算出ゲインＧa＝ｇ×Ｍ／Ｎが可変ゲインアンプ１１ｄの可変範囲の下限値に合う値にする。すなわち、抵抗分圧回路（Ｒ１，Ｒ２）は、カラー読取モードのラインセンサ１１ａからのアナログ画像信号を、可変ゲインアンプ１１ｄがそのゲイン可変範囲の下限値で適正なＡ／Ｄ変換範囲に増幅しうるレベルに分圧する分圧比とする。これにより、可変ゲインアンプ１１ｄでアナログ画像信号レベルを最大限高くし得るので、Ｓ／Ｎが高い画像データを得ることができる。
【００８９】
具体的には、カラー読取モードＣＣＤ出力最大値をＶccdmax、ゲイン可変範囲を１〜５、目標値を２００、Ａ／Ｄ変換回路１１ｆの基準電圧をＶrefとすると、
２００＝Ｖccdmax×Ｒ２／（Ｒ１＋Ｒ２）×２５５／Ｖref
を満たすＲ１とＲ２の値を選ぶ。
【００９０】
−第２実施例−
第２実施例のハードウェアは上述の第１実施例と同じであるが、ＣＰＵ１２ｅが実行するＡ／Ｄ変換特性の調整が、第１実施例とは異なる。図８に、第２実施例のＣＰＵ１２ｅが実施するＡ／Ｄ変換特性の調整の概要を示す。照明光源１４および第１ミラーを搭載した第１キャリッジが基準白板１５の基準白面を照明し読取ることができるホームポジションにあるときに、システムコントローラ１からプロセスコントローラ１３１を介してＣＰＵ１２ｅにＡ／Ｄ変換特性の調整が指示されると、第２実施例のＣＰＵ１２ｅは、まずバッファアンプ１１ｂのスイッチＣswに、そのＯＮ（分圧なし）を指示するスイッチ切換え信号Ｓcbを送る（１１）。
【００９１】
次に第２実施例のＣＰＵ１２ｅは、操作ボード２０で指定されたモードを表わすＣolor／ＢＷ信号に対応して、それがカラー読取モードを示す場合には、不揮発メモリ１２ｇにあるカラー読取モード宛てのデータ（Ｖg，Ｖof，Ｖref）をＤ／Ａ変換回路１１ｇに与え、かつ、Ｄ／Ａ変換回路１１ｇに与えるゲイン制御電圧データ（Ｖg）を、可変ゲインアンプ１１ｄのゲイン調整範囲の下限値を表わすものに変更する（１３）。操作ボード２０で指定されたモードを表わすＣolor／ＢＷ信号がモノクロ読取モード（ＢＷ）を示す場合には、不揮発メモリ１２ｇにあるモノクロ読取モード宛てのデータをＤ／Ａ変換回路１１ｇに与える（１７）。
【００９２】
Ｃolor／ＢＷ信号がカラー読取モードを表わす場合には、ＣＰＵ１２ｅは基準白板１５を読取り、このとき白ピーク検出回路１２ｄが白ピークデータを検出する（１４）。カラー読取モードの場合は、スイッチＣswがＯＦＦであるので、抵抗分圧回路（Ｒ１，Ｒ２）が分圧したアナログ画像信号が可変ゲインアンプ１１ｄに印加される。このとき、ＣＣＤ出力であるアナログ画像信号Ｖccdは、つぎのＶccd’に抵抗分圧されて、可変ゲインアンプ１１ｄに入力される：
Ｖccd’＝Ｖccd×Ｒ２／（Ｒ１＋Ｒ２）  。
【００９３】
バッファアンプ１１ｂの出力Ｖccd’は可変ゲインアンプ１１ｄで、ゲイン制御電圧Ｖgに比例するゲインで増幅された後、オフセット指示電圧Ｖofに比例するオフセット電圧のレベルシフトを受けてからＡ／Ｄコンバータ１１ｆに入力されて、入力電圧（アナログ画像信号）Ｖinと基準電圧Ｖrefに応じた、次のデジタル値Ｄを表す画像データにＡ／Ｄ変換される：
Ｄ＝２５５×Ｖin／Ｖref  。
このとき白ピーク検出回路１２ｄが白ピークデータを検出する（１４）。ピークデータをＤpとすると、ここでＣＰＵ１２ｅは、ピークデータＤpを目標値（たとえば８ビットデータの場合で２００）と比較して（１５）、ピークデータＤpが目標値を超えていると、スイッチ切換え信号ＳcbをＬowに切換えてスイッチＣswをＯＦＦにする（１６）。
【００９４】
そしてＣＰＵ１２ｅは基準白板１５を読取り、このとき白ピーク検出回路１２ｄが白ピークデータを検出する（１８）。
【００９５】
カラー読取モードの場合は、ＣＣＤ出力であるアナログ画像信号Ｖccdは、つぎのＶccd’に抵抗分圧されて、可変ゲインアンプ１１ｄに入力され、
Ｖccd’＝Ｖccd×Ｒ２／（Ｒ１＋Ｒ２）
モノクロ読取モードの場合は、ＣＣＤ出力出力であるアナログ画像信号Ｖccdは、そのまま可変ゲインアンプ１１ｄに入力される：
Ｖccd’＝Ｖccd  。
【００９６】
バッファアンプ１１ｂの出力Ｖccd’は可変ゲインアンプ１１ｄで、ゲイン制御電圧Ｖgに比例するゲインで増幅された後、オフセット指示電圧Ｖofに比例するオフセット電圧のレベルシフトを受けてからＡ／Ｄコンバータ１１ｆに入力されて、入力電圧（アナログ画像信号）Ｖinと基準電圧Ｖrefに応じた、次のデジタル値Ｄを表す画像データにＡ／Ｄ変換される：
Ｄ＝２５５×Ｖin／Ｖref  。
【００９７】
白ピーク検出回路１２ｄが、Ａ／Ｄコンバータ１１ｆが出力する画像データの中の、主走査範囲指定信号ｘｌgateと副走査範囲指定信号ＳＭＰＬにて指定された範囲内でのピーク値を表わす画像データを検出し、それがＣＰＵ１２ｅに与えられる。ＣＰＵ１２ｅは、ピーク値（白ピーク値）をＮ、目標値（白ピーク目標値）をＭ、現在のゲインをｇとすると、現在のピーク値Ｎを目標値ＭにするためのゲインＧaを次のように算出して、
Ｇa＝ｇ×Ｍ／Ｎ
このゲインＧaを表わすゲイン制御データ（Ｖg）をＤ／Ａ変換回路１１ｇに切換え出力する（１９）。そしてＣＰＵ１２ｅは、該ゲイン制御データを、現在のスイッチ切換信号Ｓcbとともに、現在指定中のモード（カラー読取モード／モノクロ読取モード）宛てに、不揮発メモリ１２ｇに書込む（２０）。
【００９８】
第２実施例のその他の機能および設定は、第１実施例と同様である。この第２実施例によっても、上述のＡ／Ｄ変換特性の調整で設定し不揮発メモリ１２ｇに書込んだデータを用いてアナログ画像信号を画像データにＡ／Ｄ変換するので、仮に光量が経時で変動しても、Ａ／Ｄ変換特性の調整後にＡ／Ｄ変換回路１１ｆが出力する画像データの精度は高く、安定する。
【００９９】
【発明の効果】
可変ゲインアンプ（11d）に入力するアナログ画像信号の大きさを切換えることができるので、ばらつきの大きいアナログ画像信号が可変ゲインアンプに入力されることが考えられる場合でも、可変ゲインアンプの増幅範囲でＡ／Ｄ変換データすなわち画像データを目標とする値に設定できる。
【図面の簡単な説明】
【図１】  本発明の第１実施例の複合機能カラー複写機の外観を示す正面図である。
【図２】  図１に示すプリンタ１００の作像機構の概要を示す拡大縦断面図である。
【図３】  図１に示す複写機のデータ処理系統の構成を示すブロック図である。
【図４】  図１に示すカラー原稿スキャナ１０の原稿読取機構の概要を示すブロック図である。
【図５】  図４に示す読取ユニット１１および画像出力Ｉ／Ｆ１２の画像処理の構成を示すブロック図である。
【図６】  図５に示すバッファアンプ１１ｂの構成を示す電気回路図である。
【図７】  図５に示すＣＰＵ１２ｅのＡ／Ｄ変換特性の調整の内容を示すフローチャートである。
【図８】  本発明の第２実施例のＣＰＵ１２ｅのＡ／Ｄ変換特性の調整の内容を示すフローチャートである。
【図９】  図５に示すＣＣＤ１１ａの、読取時間（露光時間）と出力アナログ信号レベルとの関係を示すグラフである。
【図１０】  図５に示す画像出力Ｉ／Ｆ１２に与えられる基準白板の読取タイミングを定めるタイミング信号のレベル変化を示すタイムチャートである。
【符号の説明】
１０：カラー原稿スキャナ  ２０：操作ボード
３０：自動原稿供給装置    １００：カラープリンタ
ＰＣ：パソコン            ＰＢＸ：交換器
ＰＮ：通信回線            １０２：光書込みユニット
１０３，１０４：給紙カセット
１０５：レジストローラ対  １０６：転写ベルトユニット
１０７：定着ユニット      １０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト    ＡＣＰ：画像データ処理装置
ＣＤＩＣ：画像データインターフェース制御
ＩＭＡＣ：画像メモリアクセス制御
ＩＰＰ：画像データ処理器
【図１】
0003941930.tif 000002
【図２】
0003941930.tif 000003
【図３】
0003941930.tif 000004
【図４】
0003941930.tif 000005
【図５】
0003941930.tif 000006
【図６】
0003941930.tif 000007
【図７】
0003941930.tif 000008
【図８】
0003941930.tif 000009
【図９】
0003941930.tif 000010
【図１０】
0003941930.tif 000011